(57)【要約】      （修正有）【課題】引出し等に使用されるスライドレールの自動係止装置に関し、市販のラッチ部材を簡単にスライドレールに転用する事を可能とするスライドレールの自動係止装置を提供する。【解決手段】収納方向に押し込む動作で移動側レールを固定側レールに対して係止状態となし、係止状態からさらに移動側レールを押し込む動作で移動側レールの係止状態が解除され、移動側レールを固定側レールに対して摺動可能となしたスライドレール１００の自動係止装置５０において、自動係止装置は、固定側レールあるいは移動側レールに着脱自在に取付けられる係合保持部材５と、係合保持部材に対応して移動側レールあるいは固定側レールに設けられる係止部材７よりなり、係合保持部材は係止部材と係脱自在なラッチ部材５３を着脱自在に保持しているものである。【選択図】図３
2008099777.tif 000002
【特許請求の範囲】
【請求項１】
収納方向に押し込む動作で移動側レールを固定側レールに対して係止状態となし、係止状態からさらに移動側レールを押し込む動作で移動側レールの係止状態が解除され、移動側レールを固定側レールに対して摺動可能となしたスライドレールの自動係止装置において、自動係止装置は、固定側レールあるいは移動側レールに着脱自在に取付けられる係合保持部材と、係合保持部材に対応して移動側レールあるいは固定側レールに設けられる係止部材よりなり、係合保持部材は係止部材と係脱自在なラッチ部材を着脱自在に保持している事を特徴とするスライドレールの自動係止装置。
【請求項２】
係合保持部材は、固定側レールあるいは移動側レールに着脱自在なレール連結部材と、ラッチ保持部材よりなり、ラッチ保持部材は、ラッチ部材を着脱雑自在に保持した状態で、レール連結部材に着脱自在に連結されていることを特徴とする請求項１に記載のスライドレールの自動係止装置。
【発明の詳細な説明】
【技術分野】
【０００１】
本発明は、引出し等に使用されるスライドレールの自動係止装置に関するものである。
【背景技術】
【０００２】
従来、引出しあるいは複写機等のメンテナンス部材にスライドレールを使用すると、引出し力が軽いので、運搬時あるいは床面の凹凸等による本体側の傾斜、あるいは振動によって、引出し等が不測に飛び出すことがあった。
これを解決する為、引出し等と本体間にラッチ装置を設けていたが、ラッチを解除するレバーなど新たな部材や加工が引出し側だけでなく本体側にも必要で、コスト高となるだけでなく、操作も面倒であった。
このため、ロック機構と解除機構をスライドレールの内部に組み込み、引出し等の前面を軽く押すことで、ロックを解除することができ、その後引出しをあけて、再び一番奥まで引出しを入れるとロックが自動的にかかるもの（自動係止機能を有するスライドレール）が提案されてきた。（例えば特許文献１参照。）
【０００３】
この場合、２つの可動ストッパーを外レールと内レールに対応して設け、内レールに固定ストッパーを設け、押しバネを外レールにそれぞれ個別に取付けているので、それぞれの取付け位置に微妙な取付け誤差が発生するので、品質的な安定性が確保できないばかりか、装置が大型化しコンパクトなスライドレールに採用できず、さらに、それぞれの部品（２つの可動ストッパー、固定ストッパー、押しバネ）を部材としてそれぞれ管理しなければならず、部材管理としても煩雑となり、しかも、通常のスライドレールに故障が発生した時の修理も、それぞれの部材の点検、修理、交換が必要となり、スライドレール全体を取り替えることもあった。
【０００４】
【特許文献１】特開２００５−１３１３３８号公報
【発明の開示】
【発明が解決しようとする課題】
【０００５】
本発明は、部材点数を少なくすることで、部材管理を容易とし、家具の扉等に使用されている市販のラッチ部材をスライドレールに適用する事を可能とし、万一ラッチ部材が破損しても、簡単に取り替えができ、市販のラッチ部材を使用することにより、スライドレール専用のラッチ部材を製作する必要がないので、安価に製作でき、しかも、スライドレールに特別の加工を必要としないので、通常のスライドレールを簡単に自動係止機能を有するスライドレールに転用することができるスライドレールの自動係止装置を提供する事を課題とする。
【課題を解決するための手段】
【０００６】
そこで、上記課題を解決する為、本発明が第１の手段として構成したところは、収納方向に押し込む動作で移動側レールを固定側レールに対して係止状態となし、係止状態からさらに移動側レールを押し込む動作で移動側レールの係止状態が解除され、移動側レールを固定側レールに対して摺動可能となしたスライドレールの自動係止装置において、自動係止装置は、固定側レールあるいは移動側レールに着脱自在に取付けられる係合保持部材と、係合保持部材に対応して移動側レールあるいは固定側レールに設けられる係止部材よりなり、係合保持部材は係止部材と係脱自在なラッチ部材を着脱自在に保持しているものである。
【０００７】
次に、本発明が第２の手段として構成したところは、第１の手段として構成したところに加え、係合保持部材は、固定側レールあるいは移動側レールに着脱自在なレール連結部材と、ラッチ保持部材よりなり、ラッチ保持部材は、ラッチ部材を着脱雑自在に保持した状態で、レール連結部材に着脱自在に連結されているものである。
【発明の効果】
【０００８】
請求項１に記載の発明によると、自動係止装置は、係合保持部材と係止部材より構成され、係合保持部材はラッチ部材を保持した状態で、固定側レールあるいは移動側レールに着脱自在で、係止部材は係合保持部材に対応して、移動側レールあるいは固定側レールに設けられているので、部品として管理する必要があるのは、係合保持部材と係止部材の２つでよいから、部材点数が少なく、管理が容易である。
又、万一故障が発生しても（故障が発生する確率が一番高いのはラッチ部材である。）、その部材を取り替えるだけでよいので修理が容易で、現場で簡単に行なうことが出来る。
さらに、ラッチ部材は、係合保持部材に着脱自在に保持されているので、市販されているラッチ部材の外形にあわせて、係合保持部材のラッチ部材が取り付く部分の形状を工夫することにより、簡単に市販部品を利用することも可能となり、さらに、スライドレール自体に特別の加工を必要としないので、通常のスライドレールを簡単に自動係止機能を持つスライドレールに転用することができる。
【０００９】
請求項２に記載の発明によると、前記効果に加え、係合保持部材は、固定側レールあるいは移動側レールに着脱自在なレール連結部材と、ラッチ保持部材よりなり、ラッチ保持部材は、ラッチ部材を保持した状態で、レール連結部材に着脱自在に連結されているので、市販のラッチ部材に合わせて、ラッチ保持部材を構成すれば、スライドレールの用途に合わせて、各種の自動係止装置を簡単に提供することができる。
【発明を実施するための最良の形態】
【００１０】
収納方向に押し込む動作で移動側レールを固定側レールに対して係止状態となし、係止状態からさらに移動側レールを押し込む動作で移動側レールの係止状態が解除され、移動側レールを固定側レールに対して摺動可能となしたスライドレールの自動係止装置において、自動係止装置は、固定側レールあるいは移動側レールに着脱自在に取付けられる係合保持部材と、係合保持部材に対応して移動側レールあるいは固定側レールに設けられる係止部材よりなり、係合保持部材は、固定側レールあるいは移動側レールに着脱自在なレール連結部材と、ラッチ保持部材よりなり、ラッチ保持部材は、係止部材と係脱自在なラッチ部材を着脱雑自在に保持した状態で、レール連結部材に着脱自在に連結されているものである。
【実施例】
【００１１】
以下、添付図面に基づいて実施例を説明する。
図１、図２において、符号１は固定側レールを示し、符号２は移動側レールを示し、符号３は中間レールを示し、符号４は固定側レール１のボール保持板を示し、符号６は移動側レール２のボール保持板を示し、符号５０はスライドレール１００の自動係止装置を示している。そして、図１において左側斜め下方向を引出し側、右側斜め上方向を収納側として説明する。
【００１２】
固定側レール１は、金属製の細長条板の短手両端部を内向き円弧状に折り曲げた内面長手方向にボール案内溝を有する上下の両折曲縁１１、１１と、家具等の本体側と連結される固定側レール基板１２より断面略Ｃ字形に形成されている。
そして、固定側レール基板１２の収納側端部を移動側レール２方向に折り曲げて固定側収納時ストッパー１３が形成され、固定側レール１の基板１２の引出し側端部を移動側レール２方向に折り曲げて固定側移動時ストッパー１４（図１に示す。）が形成され、固定側収納時ストッパー１３の収納側に自動係止装置５０の係合保持部材５が取付けられている。
【００１３】
中間レール３は、上記固定側レール１に挿入可能な大きさで固定側レール１よりやや短い長さの固定側基板３１と、固定側基板３１の上下端部を外向き円弧状に折り曲げた上下の両折曲縁３２、３２よりなる断面略Ｃ字形の固定側中間レール３０と、上記移動側レール２に挿入可能な大きさで固定側レール１よりやや短い長さの移動側基板３１１と、移動側基板３１１の上下端部を内向き円弧状に折り曲げた上下の両折曲縁３２２、３２２よりなる断面略Ｃ字形の移動側中間レール３００よりなり、固定側基板３１の後端部が移動側基板３１１の後端部より収納側に突出するようずらして背中合わせに固着した断面略Ｉ字形に構成されている。
【００１４】
そして、スライドレール１００の最大伸長時、ボール保持板４の収納側端面に緩衝部材を介して当接し、スライドレール１００の最短収縮時、固定側収納時ストッパー１３の内面に緩衝部材を介して当接する中間レール収納時ストッパー３５が、固定側中間レール３０の固定側基板３１の収納側端部に、固定側レール１側に突出して形成されている。
又、スライドレール１００の最大伸長時、移動側レール２のボール保持板６の引出し側端面が緩衝部材を介して当接するボール保持板引出し時ストッパー（図示せず。）が、中間レール３の移動側基板３１１の移動側端部に、移動側レール２側に突出して形成されている。
【００１５】
ボール保持板４、６は対向した同形で、帯条金属板にて固定側レール１、移動側レール２及び、中間レール３との間に挿入可能な大きさで、かつ、両レール１、２の半分以下の長さで、基板４１、６１と上下の折曲片４２、４２、６２、６２からなり、基板４１、６１は中央部をコ字形に折り曲げ、そして、上下の両折曲片４２、４２、６２、６２の摺動方向の数箇所に複数個のボール４０・・・を回転自在に保持している。
【００１６】
移動側レール２は、固定側レール１と対向した断面同形で、ほぼ同長に形成され、金属製の細長条板の短手両端部を内向き円弧状に折り曲げて形成された内面長手方向にボール案内溝を有する上下の両折曲縁２１、２１と、移動側レール基板２２より、断面略Ｃ字形に形成されている。
【００１７】
そして、移動側レール基板２２の引出し側端部を固定側レール１方向に折り曲げて形成された移動側収納時ストッパー２３と、移動側レール基板２２の収納側端部の一部を固定側レール１方向に突出させて形成された移動側移動時ストッパー２４を有し、移動側移動時ストッパー２４の収納側に自動係止装置５０の係止部材７が取付られている。
【００１８】
実施例のスライドレール１００は上記の如く構成され、スライドレール１００の最大伸長時には、移動側レール２の移動側移動時ストッパー２４に取り付けられた係止部材７の一部がボール保持板６の収納側端面に当接し、ボール保持板６の引出し側端面は緩衝部材を介して中間レール３のボール保持板引出し時ストッパー（図示せず。）に当接し、中間レール３の中間レール収納時ストッパー３５がボール保持板４の収納側端面に緩衝部材を介して当接し、ボール保持板４の引出し側端面が緩衝部材を介して固定側移動時ストッパー１４に当接している。
【００１９】
一方、スライドレール１００の最短収縮状態では、中間レール３の収納側端部に形成された中間レール収納時ストッパー３５が緩衝部材を介して固定側レール１の収納側端部に形成された固定側収納時ストッパー１３に当接し、移動側移動時ストッパー２４の収納側に突出する係止部材７の一部が係合保持部材５に当接係止している。
そして、この状態で、移動側レール２の移動側収納時ストッパー２３の緩衝部材と中間レール３の引出し側端部に形成されたボール保持板引出し時ストッパー（図示せず。）間には若干の隙間が形成されている。
そして、この若干の隙間が移動側レール２を再度収納側に押し込んで、係止部材７と係合保持部材５の係止状態を解除するための移動用隙間となる。
【００２０】
自動係止装置５０は、図１、図３、図４に示す如く、移動側レール２の収納側端部に取付けられる係止部材７と、固定側レール１の収納側端部に取付けられる係合保持部材５より構成されている。
係止部材７は、移動側レール２の収納側端面を閉塞する収納側基板７１と、収納側基板７１の引出し側面の上下端部に位置し、引出し側に向かって突出して、移動側レール２の上下の両折曲縁２１、２１間に嵌合する上下移動側レール用嵌合脚７２、７２と、収納側基板７１の収納側面の中央部で係合保持部材５側に突出する矢尻型の係止突起７３と、収納側基板７１から引出し側に所定間隙７１０を有して上下移動側レール用嵌合脚７２、７２間に連設され、取付けられた状態で移動側レール基板２２の内面に密着する位置決め用連結部７４と、位置決め用連結部７４の固定側レール１側から引出し側に突出して連設された収納時ストッパー部７５が合成樹脂材にて一体に成形されて形成されている。
【００２１】
符号７１１、７１１は中間レール３の上下の両折曲縁３２、３２が挿通するための挿通用切り欠き部を示し、符号７２１、７２１は、上下移動側レール用嵌合脚７２、７２に上下方向に所定の弾性を付与する為に形成された弾性用凹部を示し、符号７５１は緩衝部材７５０を取付けるための取付用凹部を示している。
すなわち、緩衝部材７５０の引出し側端面は収納時ストッパー部７５に取付られ状態で、収納時ストッパー部７５の引出し側端面よりやや引出し側に突出し、スライドレール１００の最短収縮状態で、ボール保持板６の収納側端面が当接する事となる。
【００２２】
係止部材７は上記のように形成され、所定間隙７１０内に移動側移動時ストッパー２４を位置させて、移動側移動時ストッパー２４の引出し側端面が位置決め用連結部７４の収納側端面に当接し、収納側基板７１の引出し側面が中間レールの収納側端面に当接させながら、上下移動側レール用嵌合脚７２、７２を移動側レール２の上下の両折曲縁２１、２１間に嵌合するよう、係止部材７が移動側レール２に押し付けられるようにして収納側端部に取付けられる。この状態で、移動側移動時ストッパー２４、位置決め用連結部７４、収納側基板７１、移動側レール２の上下の両折曲縁２１、２１、上下移動側レール用嵌合脚７２、７２が相互に連係して、係止部材７は上下方向、引出し側及び収納側方向に移動することはない。
【００２３】
係合保持部材５は、スライドレール１００の厚み方向で２つに分割されるレール用連結部材５１と、ラッチ保持部材５２からなり、ラッチ保持部材５２はラッチ部材５３を着脱自在に保持している。
レール用連結部材５１は図４に示すように、スライドレール１００の半分強の厚みで、固定側レール１の収納側に突出する連結用基部５１１と、連結用基部５１１の引出し側面の上下端部に位置し、引出し側に向かって突出して、固定側レール１の上下の両折曲縁１１、１１間に嵌合する上下固定側レール用嵌合脚５１２、５１２と、連結用基部５１１から引出し側に所定間隙５１０を有して上下固定側レール嵌合脚５１２、５１２間に連設され、取付けられた状態で固定側レール基板１２の内面に密着する抜け止め連結部５１３より合成樹脂材より一体に形成されている。
符号５１４、５１４は、連結用基部５１１のラッチ保持部材５２側面の上下端部に形成された位置決め用のダボ孔を示し、符号５１５、５１５は、ラッチ保持部材５２の連結用ネジ孔を示し、符号５１６、５１６は、上下固定側レール嵌合脚５１２、５１２に上下方向に所定の弾性を付与する為の形成され切り落とし部を示している。
【００２４】
ラッチ保持部材５２は、移動側レール２とほぼ同等の厚みに合成樹脂材より形成され、前記レール用連結部材５１に形成された連結用ネジ孔５１５、５１５に対応する位置に、スライドレール１００の厚み方向に貫通する連結孔５２１、５２１を有し、前記ダボ孔５１４、５１４に対応する位置に嵌合突起５２２、５２２を有し、レール用連結部材５１側の面にラッチ部材５３が嵌合保持される嵌合保持凹部５２３を有している。
【００２５】
ラッチ部材５３は、前記ラッチ保持部材５２の嵌合保持凹部５２３にスライドレール１００の厚み方向から嵌合し、引出し側方向及び収納側方向に移動不能に保持される外形形状のハウジング５３１と、ハウジング５３１に収納されると共に係止部材７に係合可能なラッチボディ５３２とで構成されている。そして、ラッチボディには略直方体を成すラッチボディ本体５３３が備えられており、ラッチボディ本体５３３の長手方向の一端面角部からは一対のラッチアーム５３４、５３４が先端に行くに従って互いに離間する方向に向かって延出している。
そして、このラッチアームが係止部材７に形成された係止突起７３の拡幅部７３１を挟持して係止可能としている。
ラッチ部材５３の具体的構成は特開２００４−２３８８９号公報に示すラッチ装置と同じであるので詳細な説明は省略する。
すなわち、本発明のラッチ保持部材５２は、市販のラッチ部材の外形形状に合致する嵌合保持凹部５２３を有しているので、市販のラッチ部材をスライドレールのラッチ部材として簡単かつ容易に転用できる。
【００２６】
レール連結用部材５１、ラッチ保持部材５２、ラッチ部材５３は、上記のように構成され、ラッチ保持部材５２の嵌合保持凹部５２３にラッチ部材５３を嵌合した状態で、ラッチ保持部材５２の嵌合突起５２２、５２２をレール連結用部材５１のダボ孔５１４、５１４に嵌合し、連結用ネジ孔５１５、５１５、連結孔５２１、５２１を介して、レール連結用部材５１とラッチ保持部材５２をネジ止め連結し、係合保持部材５を構成する。
そして、固定側収納時ストッパー１３を所定間隙５１０内に位置せしめた状態で、上下固定側レール用嵌合脚５１２、５１２を固定側レール１の上下の両折曲縁１１、１１間に嵌合するよう、レール用連結部材５１が固定側レール１に押し付けられるようにして収納側端部に取付けられる。
この状態で、固定側収納時ストッパー１３、に連結用基部５１１の引出し側端面、抜け止め連結部５１３の収納側端面、固定側レール２の上下の両折曲縁１１、１１、上下固定側レール嵌合脚５１２、５１２が相互に連係して、係合保持部材５は上下方向、引出し側及び収納側方向に移動することはない。
【００２７】
移動側レール２を収納側に移動し、係止部材７の係止突起７３が、ラッチボディ５３２に当接し（図７に示す状態）、さらに、ラッチボディ本体５３３及びラッチアーム５３４、５３４をハウジング５３１内に最も押し込み（図８に示す状態）、その後やや引出し側に戻った状態（図９に示す状態）で、ラッチアーム５３４、５３４が係止部材７に形成された係止突起７３の拡幅部７３１を挟持し、ラッチボディ５３２はハウジング５３１に収納された状態を維持し、係合部材７はラッチ部材５３（係合保持部材７）に係止された状態が維持される。
【００２８】
そして、再度、係止部材７が押し込まれると（図８に示す状態）、ラッチボディ５３２はハウジング５３１から押し出される方向に移動し、係止突起７３とラッチアーム５３４、５３４の挟持状態（係止状態）は解除される。（図７に示す状態）
ラッチ部材５２と係止突起７３の係脱関係は特開２００４−２３８８９号公報に示すラッチ装置と同じであるので詳細な説明は省略する。
尚、実施例では、係止部材７を移動側レール２の収納側端部に設け、係合保持部材５を固定側レール１の収納側端部に設けているが、係止部材７を固定側レール１の引出し側端部に設け、係合保持部材５を移動側レール２の引出し側端部に設けても、実施例と同様の効果がある。
ただ、係止部材７も係合保持部材５も移動側レール２、固定側レール１の収納側端部に設けると、スライドレール１００の収納状態で各部材が外部に露呈しないので体裁が良いという効果がある。
一方、係止部材７と係合保持部材５を移動側レール２、固定側レール１の引出し側端部に設けると、スライドレール１００の収納状態で各部材が外部に露呈するが、故障時等の修理等が容易であるという効果がある。
【図面の簡単な説明】
【００２９】
【図１】本発明を具備したスライドレールの斜視図
【図２】図１のスライドレールの要部断面図
【図３】係合保持部材と係止部材の斜視図
【図４】係合保持部材の分解斜視図
【図５】ラッチ保持部材の裏面側の斜視図
【図６】係止部材の裏面側の斜視図
【図７】係止突起がラッチボディに当接した状態の正面略図
【図８】係止突起が収納側に最も移動した状態の正面略図
【図９】ラッチ部材と係止突起の係止状態を示す正面略図
【符号の説明】
【００３０】
１              固定側レール
１００          スライドレール
２              移動側レール
３              中間レール
５              係合保持部材
５０            自動係止装置
５１            レール用連結部材
５２            ラッチ保持部材
５３            ラッチ部材
７              係止部材
【図１】
2008099777.tif 000003
【図２】
2008099777.tif 000004
【図３】
2008099777.tif 000005
【図４】
2008099777.tif 000006
【図５】
2008099777.tif 000007
【図６】
2008099777.tif 000008
【図７】
2008099777.tif 000009
【図８】
2008099777.tif 000010
【図９】
2008099777.tif 000011